(57)【要約】      （修正有）【課題】筐体に対して螺進退することにより逆止弁の弁体を弁座から離間する方向に駆動することが可能な調節ねじと、この調節ねじを螺進退させるべく該調節ねじに接続され少なくとも中立位置と開弁位置との間を回転移動可能な操作レバーを備え、操作レバーを中立位置に配した際の調節ねじの筐体に対する相対位置を確実に決定できる液圧装置を提供する。【解決手段】筐体１０と調節ねじ２２との間に設けられ該調節ねじ２２と一体的に回動可能であるとともに前記調節ねじ２２の基端部を内部に収納してなる調節ねじ取付部材２３とを設える。さらに、操作レバー６を中立位置に配した際の前記調節ねじ２２の前記調節ねじ取付部材２３に対する相対位置を固定すべく調節ねじ２２に該調節ねじ２２の進退方向と異なる方向に作用を与え、該調節ねじ２２を前記調節ねじ取付部材２３に圧着させるための固定部材２４とを備える構成を採用する。【選択図】図４
0003167158.tif 000002
【実用新案登録請求の範囲】
【請求項１】
駆動対象物に接続してなる出力ポート、及びこの出力ポートに連通し前記駆動対象物との間で作動液を出し入れするための作動液流通路を有する筐体と、
この筐体の作動液流通路中に設けられ弁体が弁座に着座することにより作動液の流通を禁止する逆止弁と、
筐体に対して螺進退することによりこの逆止弁の弁体を弁座から離間する方向に駆動することが可能な調節ねじと、
この調節ねじをネジ送り動作させるべく該調節ねじに接続され少なくとも中立位置と開弁位置との間を回転移動可能であるとともに、回転操作力を受け付けて前記調節ねじに伝達する操作レバーと、
この調節ねじと前記筐体との間に設けられ該調節ねじと一体的に回動可能であるとともにこの調節ねじの基端部を内部に収納してなる調節ねじ取付部材と、
前記操作レバーを中立位置に配した際の前記調節ねじの前記調節ねじ取付部材に対する相対位置を固定すべく調節ねじに該調節ねじの進退方向と異なる方向に作用を与え、該調節ねじを前記調節ねじ取付部材に圧着させるための固定部材と
を備えていることを特徴とする液圧装置。
【請求項２】
前記ねじ固定部材が前記調節ねじに与える作用の方向が、該調節ねじの進退方向と直交する方向である請求項１記載の液圧装置。
【考案の詳細な説明】
【技術分野】
【０００１】
本考案は、液圧により作動するアクチュエータに接続する液圧装置に関する。
【背景技術】
【０００２】
従来より、主に荷役装置に用いられる液圧装置として、以下に述べるようなものが考えられている（例えば、特許文献１を参照）。この液圧装置は、図１〜図３に示すように、作動液を貯蔵するためのタンク１、このタンク１から作動液を駆動対象物たるアクチュエータ等に供給するための液圧供給源たるポンプ２、このポンプ２を駆動するためのモータ３、このモータ３に電力を供給する電気回路の開閉を行う電磁接触器４、この電磁接触器４を作動させるための電気回路の開閉を行う手動スイッチ５、少なくとも中立位置Ｃと開弁位置たる下降位置Ｄとの間、及び中立位置Ｃと上昇位置Ｕとの間を回転移動可能であるとともに、回転操作力を受け付けて、前記上昇位置Ｕに配された状態で前記電磁接触器４に通電させるべく手動スイッチ５を押圧する操作レバー６と、前記ポンプ２と前記アクチュエータとを連通する第１の作動液流通路ａ８、及び前記前記タンク１と前記アクチュエータとを連通する第２の作動液流通路ａ９を備えるプレートａ７とを備えている。
【０００３】
ここで、プレートａ７は、図５に示すように、前記アクチュエータに接続してなる出力ポートａ１１、作動液供給源であるポンプ２に接続してなる入力ポートａ１２、タンク１に接続してなるタンクポートａ１３、前記入力ポートａ１２と前記出力ポートａ１１とを連通する前記第１の作動液流通路ａ８、及び前記入力ポートａ１２と前記タンクポートａ１３とを連通する前記第２の作動液流通路ａ９を有する筐体ａ１０と、前記第１の作動液流通路ａ８中に設けられる第１の逆止弁ａ１４と、前記第２の作動液流通路ａ９中に設けられる第２の逆止弁ａ１５と、前記第１の作動液流通路ａ８と前記第２の作動液流通路ａ９とを連通し途中にリリーフ弁ａ１７を設けてなるリリーフ通路ａ１６とを備えている。
【０００４】
前記第１の逆止弁ａ１４及び前記リリーフ通路ａ１６は、この種の液圧装置に用いられるものとして広く知られているものと同様の構成を有する。
【０００５】
一方、前記第２の逆止弁ａ１５は、前記第２の作動液流通路ａ９中に設けてなる弁座ａ１９、この弁座ａ１９に着座することにより作動液の流通を禁止する弁体ａ２０、及びこの弁体２０を弁座ａ１９に着座する方向に付勢する付勢手段たるばねａ２１を備えた逆止弁本体ａ１８と、前記操作レバーａ６が前記中立位置Ｃと前記下降位置Ｄとの間での回転操作を受ける際の操作力の伝達を受けて前記筐体ａ１０に対して螺進退することにより前記ばねａ２１の付勢力に反して前記弁体ａ２０を前記弁座ａ１９から離間する方向に駆動することが可能な調節ねじａ２２とを備えている。この調節ねじａ２２の基端部には、ナットＮを介して前記操作レバーａ６を取り付けるようにしている。ここで、前記操作レバー６が前記下降位置Ｄに移動し、前記弁体２０が前記弁座１９から離間した際には、これら弁体ａ２０と弁座ａ１９との間の空間が、アクチュエータからタンク１に戻る作動液の流量を制御する絞り２５として機能する。
【０００６】
このような液圧装置を組み立てる際には、筐体ａ１０に設けた雌ねじ孔ａ１０ｘに前記調節ねじａ２２を螺合し、前記操作レバーａ６を中立位置に配した状態にとるべき位置まで前記調節ねじａ２２を螺進退させた後、前記操作レバーａ６を中立位置Ｃに配した状態でこの操作レバーａ６を前記調節ねじａ２２の基端部にナットＮを介して取り付けるようにしている。
【０００７】
しかし、このような構成を採用した場合、以下のような不具合が発生しうる。具体的には、前記ナットＮを介して前記操作レバーａ６を前記調節ねじａ２２に取り付ける際に、ナットＮの回転に伴い前記調節ねじａ２２がつれて回転することがある。ここで前記調節ねじａ２２が回転すると、この調節ねじａ２２が筐体ａ１０との間で螺進退する。特に、前記調節ねじａ２２が締着方向に回転すると、この調節ねじａ２２の先端部が弁体ａ２０に接触し、前記操作レバーａ６を中立位置に配した状態で弁体ａ２０が弁座ａ１９から離間し、作動液の流通を禁止すべく操作レバーａ６を中立位置Ｃに配したにも関わらず液漏れが発生してアクチュエータからタンク１に向けて作動液が流通するという不具合が発生することがある。
【先行技術文献】
【特許文献】
【０００８】
【特許文献１】実開昭６３−３５７２号公報
【考案の概要】
【考案が解決しようとする課題】
【０００９】
以上に鑑みてなされた本考案は、筐体に対して螺進退することにより逆止弁の弁体を弁座から離間する方向に駆動することが可能な調節ねじと、この調節ねじを螺進退させるべく該調節ねじに接続され少なくとも中立位置と開弁位置との間を回転移動可能な操作レバーを備えた液圧装置において、操作レバーを中立位置に配した際の調節ねじの筐体に対する相対位置を確実に決定できるようにすることを所期の目的とする。
【課題を解決するための手段】
【００１０】
すなわち本考案に係る液圧装置は、駆動対象物に接続してなる出力ポート、及びこの出力ポートに連通し前記駆動対象物との間で作動液を出し入れするための作動液流通路を有する筐体と、この筐体の作動液流通路中に設けられ弁体が弁座に着座することにより作動液の流通を禁止する逆止弁と、筐体に対して螺進退することによりこの逆止弁の弁体を弁座から離間する方向に駆動することが可能な調節ねじと、この調節ねじを螺進退させるべく該調節ねじに接続され少なくとも中立位置と開弁位置との間を回転移動可能であるとともに、回転操作力を受け付けて前記調節ねじに伝達する操作レバーと、この調節ねじと前記筐体との間に設けられ該調節ねじと一体的に回動可能であるとともにこの調節ねじの基端部を内部に収納してなる調節ねじ取付部材と、前記操作レバーを中立位置に配した際の前記調節ねじの前記調節ねじ取付部材に対する相対位置を固定すべく調節ねじに該調節ねじの進退方向と異なる方向に作用を与え、該調節ねじを前記調節ねじ取付部材に圧着させるための固定部材とを備えていることを特徴とする。
【００１１】
このようなものであれば、前記操作レバーは前記調節ねじではなく前記調節ねじ取付部材に取り付けられるので、この操作レバーを前記調節ねじ取付部材に取り付ける際に該調節ねじ取付部材が回転し前記筐体に対して螺進退した場合であっても、前記調節ねじと該調節ねじ取付部材との相対位置を調節して前記操作レバーを中立位置に配した際にとるべき位置に前記調節ねじを配した後、固定部材を介して該調節ねじを前記調節ねじ取付部材に圧着すれば、この圧着操作の際には前記調節ねじは進退方向への作用を受けず、従って操作レバーを中立位置に配した際の調節ねじの筐体に対する相対位置を確実に決定できる。
【００１２】
特に、前記ねじ固定部材が前記調節ねじに与える作用の方向が、該調節ねじの進退方向と直交する方向であれば、前段で述べたような、圧着操作の際に前記調節ねじが進退方向への作用を受けないという効果をより確実に得ることができる。
【考案の効果】
【００１３】
本考案によれば、筐体に対して螺進退することにより逆止弁の弁体を弁座から離間する方向に駆動することが可能な調節ねじと、この調節ねじを螺進退させるべく該調節ねじに接続され少なくとも中立位置と開弁位置との間を回転移動可能な操作レバーを備えた液圧装置において、操作レバーを中立位置に配した際の調節ねじの筐体に対する相対位置を確実に決定できる。
【図面の簡単な説明】
【００１４】
【図１】本考案の一実施形態の液圧装置を示す液圧回路を示す図。
【図２】同実施形態の液圧装置を示す正面図。
【図３】同実施形態の液圧装置を示す側面図。
【図４】同実施形態の液圧装置を示す要部断面図。
【図５】従来の液圧装置を示す要部断面図。
【考案を実施するための形態】
【００１５】
以下、本考案の一実施形態を、図面を参照して説明する。
【００１６】
本実施形態に係る液圧装置は、図１〜図３に示すように、作動液を貯蔵するためのタンク１、このタンク１から作動液を駆動対象物たるアクチュエータ等に供給するための液圧供給源たるポンプ２、このポンプ２を駆動するためのモータ３、このモータ３に電力を供給する電気回路の開閉を行う電磁接触器４、この電磁接触器４を作動させるための電気回路の開閉を行う手動スイッチ５、少なくとも中立位置Ｃと開弁位置たる下降位置Ｄとの間、及び中立位置Ｃと上昇位置Ｕとの間を回転移動可能であるとともに、回転操作力を受け付けて、前記上昇位置Ｕに配された状態で前記電磁接触器４に通電させるべく手動スイッチ５を押圧する操作レバー６と、前記ポンプ２と前記アクチュエータとを連通する第１の作動液流通路８、及び前記前記タンク１と前記アクチュエータとを連通する第２の作動液流通路９を備えるプレート７とを備えている。
【００１７】
前記プレート７は、図４に示すように、前記アクチュエータに接続してなる出力ポート１１、作動液供給源であるポンプ２に接続してなる入力ポート１２、タンク１に接続してなるタンクポート１３、前記入力ポート１２と前記出力ポート１１とを連通する前記第１の作動液流通路８、及び前記入力ポート１２と前記タンクポート１３とを連通する前記第２の作動液流通路９を有する筐体１０と、前記第１の作動液流通路８中に設けられる第１の逆止弁１４と、前記第２の作動液流通路９中に設けられる第２の逆止弁１５と、前記第１の作動液流通路８と前記第２の作動液流通路９とを連通し途中にリリーフ弁１７を設けてなるリリーフ通路１６とを備えている。
【００１８】
ここで、前記第１の逆止弁１４及び前記リリーフ通路１６は、この種の液圧装置に用いられるものとして広く知られているものと同様の構成を有する。
【００１９】
一方、前記第２の逆止弁１５は、前記第２の作動液流通路９中に設けてなる弁座１９、この弁座１９に着座することにより作動液の流通を禁止する弁体２０、及びこの弁体２０を弁座１９に着座する方向に付勢する付勢手段たるばね２１を備えた逆止弁本体１８と、前記操作レバー６が前記中立位置Ｃと前記下降位置Ｄとの間での回転操作を受ける際の操作力の伝達を受けて前記筐体１０に対して螺進退することにより前記ばね２１の付勢力に反して前記弁体２０を前記弁座１９から離間する方向に駆動することが可能な調節ねじ２２と、この調節ねじ２２と前記筐体１０との間に設けられ該調節ねじ２２と一体的に回動可能であるとともに前記調節ねじ２２の基端部を内部に収納してなる調節ねじ取付部材２３と、前記操作レバー６を中立位置Ｃに配した際の前記調節ねじ２２の前記調節ねじ取付部材２３に対する相対位置を固定すべく調節ねじ２２に該調節ねじ２２の進退方向と異なる方向に作用を与え前記調節ねじ取付部材２３に圧着させるための固定部材２４とを備えている。ここで、前記操作レバー６が前記下降位置Ｄに移動し、前記弁体２０が前記弁座１９から離間した際には、これら弁体２０と弁座１９との間の空間が、アクチュエータからタンク１に戻る作動液の流量を制御する絞り２５として機能する。
【００２０】
さらに詳述すると、前記調節ねじ２２は、前記操作レバー６を中立位置Ｃに配した状態において、その先端部と前記弁座１９に着座した状態の前記弁体２０との間にわずかな隙間が存在するか、或いはその先端部と前記弁座１９に着座した状態の前記弁体２０とが接触しているような位置に配している。この調節ねじ２２の基端部には、前記調節ねじ取付部材２３との間で螺進退させるための雄ねじ部２２ａを設けている。そして、この調節ねじ２２の基端には、マイナスドライバーなどの治具を受け付けるための操作受付部２２ｘを設けている。
【００２１】
前記調節ねじ取付部材２３は、その先端部の外周に雄ねじ部２３ａを有し前記筐体１０に設けた雌ねじ孔１０ｘに螺合可能である。また、その内部において前記調節ねじ２２が進退可能な調節ねじ収納孔２３ｘを有する。さらに、この調節ねじ収納孔２３ｘと連通するとともに前記調節ねじ２２の雄ねじ部２２ａと螺合可能な雌ねじ孔２３ｙをも有する。加えて、その基端部にはナットＮを介して前記操作レバー６を取り付け可能であるとともに、この調節ねじ取付部材２３を筐体１０に螺着させる操作を受け付けるための六角レンチ等の軸を受け入れる治具受入部２３ｚを設けている。そして、前記調節ねじ収納孔２３ｘに連通しこの調節ねじ収納孔２３ｘの径方向すなわち調節ねじ２２の進退方向に直交する方向に延伸する雌ねじ孔である固定部材取付ねじ孔２３ｎを備えている。
【００２２】
前記固定部材２４は、前記調節ねじ取付部材２３の固定部材取付ねじ孔２３ｎに螺合可能な雄ねじ部材であり、前記調節ねじ取付部材２３内に前記調節ねじ２２を挿入した状態でこの固定部材２４を前記固定部材取付ねじ孔２３ｎに螺着することにより、前記調節ねじ２２が前記調節ねじ収納孔２３ｘの径方向に向かう作用を受け、前記調節ねじ取付部材２３に圧着される。
【００２３】
筐体１０への調節ねじ２２、調節ねじ取付部材２３及び操作レバー６の取り付けは、例えば以下のような手順で行われる。
【００２４】
まず、前記調節ねじ２２を前記調節ねじ取付部材２３の内部に挿入し、この調節ねじ２２の雄ねじ部２２ａを調節ねじ取付部材２３の雌ねじ孔２３ｙに螺着する。次いで、この調節ねじ取付部材２３を、内部に調節ねじ２２を収納した状態のまま筐体１０に設けた雌ねじ孔１０ｘに螺着する。それから、この調節ねじ取付部材２３の基端部に、中立位置Ｃに配した操作レバー６をナットＮを介して取り付ける。そして、前記調節ねじ２２が前記操作レバー６を中立位置Ｃに配した際にとるべき位置となるようにこの調節ねじ２２を前記調節ねじ取付部材２３に対して螺進退させ、前記固定部材２４を介して該調節ねじ取付部材２３に圧着させる。
【００２５】
以上に述べたように、前記操作レバー６は前記調節ねじ２２ではなく前記調節ねじ取付部材２３に取り付けられるので、この操作レバー６を前記調節ねじ取付部材２３に取り付ける際に該調節ねじ取付部材２３が回転し前記筐体１０に対して螺進退した場合であっても、前記調節ねじ２２と該調節ねじ取付部材２３との相対位置を調節して前記操作レバー６を中立位置Ｃに配した際にとるべき位置に前記調節ねじ２２を配した後、固定部材２４を介して該調節ねじ２２を前記調節ねじ取付部材２３に圧着すれば、この圧着操作の際には前記調節ねじ２２は進退方向への作用を受けず、従って操作レバー６を中立位置Ｃに配した際の調節ねじ２２の筐体１０に対する相対位置を確実に決定できる。
【００２６】
なお、本考案は以上に詳述した実施形態に限られるものではない。
【００２７】
例えば、上述した実施形態では、ねじ固定部材は調節ねじの進退方向と直交する方向に進退する雄ねじ部材であるが、進退方向が調節ねじの進退方向と異なるものであれば、ねじ固定部材による調節ねじの固定の際には締付力のうち進退方向成分のみが調節ねじを進退させるべく作用するので、本発明の作用効果をある程度得ることができる。但し、ねじ固定部材が調節ねじの進退方向と直交する方向に進退するものであれば締着力のうち進退方向成分は０であるので、上述した実施形態のように、ねじ固定部材が調節ねじ取付部材の進退方向と直交する方向に進退するものが最も好ましい。
【００２８】
また、雄ねじ部材以外を利用してねじ固定部材を形成してもよい。例えば、一部が切り欠かれた円弧状をなし弾性部材により形成した線状体、又は側面視一部が切り欠かれた半円弧状をなし弾性部材により形成した板体の切り欠き端に中心方向に向けて延伸する突起を設けてなるねじ固定部材を用意し、調節ねじ取付部材に設けたねじ固定部材挿通孔にこのねじ固定部材の突起を挿通させた上でこのねじ固定部材をねじ固定部材挿通孔に抱着させることによりねじ固定部材の突起と調節ねじ取付部材とにより調節ねじを挟持した状態とすることで、この調節ねじを調節ねじ取付部材に圧着させるようにしてもよい。
【００２９】
その他、荷役装置に用いられるアクチュエータ以外の駆動対象物に作動液を供給する液圧装置に本考案を採用する等、本考案の趣旨を逸脱しない範囲で種々変形が可能である。
【符号の説明】
【００３０】
６…操作レバー
９…（第２の）作動液流通路
１０…筐体
１１…出力ポート
１５…（第２の）逆止弁
１９…弁体
２０…弁座
２２…調節ねじ
２３…調節ねじ取付部材
２４…固定部材
【図１】
0003167158.tif 000003
【図２】
0003167158.tif 000004
【図３】
0003167158.tif 000005
【図４】
0003167158.tif 000006
【図５】
0003167158.tif 000007